(57)【要約】【課題】  長期間の使用によっても経年変化による劣化の影響を少なくし、振動や衝撃などによる騒音の発生を抑制する。【解決手段】  開閉体装置のシャッターカーテンの閉鎖側先端部であってガイド手段に覆われる箇所に磁石を設け、この磁石の移動時に誘導電流を流す導電体手段としてアルミ板などをガイド手段に沿って設ける。磁石が移動すると、それを阻止しようとするような誘導電流がアルミ板に流れ、それによってシャッターカーテンの動きに制動が掛かる。この制動力は、磁石の移動速度に応じたものであり、磁石が急激に移動しようとするとそれに応じた大きな制動力が発生する。従って、開動作時にシャッターカーテンなどの開閉手段が巻取りドラムによって急激に巻き取られまぐさなどの戸当たり部に衝突しようとする際に、磁石と導電体によって制動力が発生するので、その衝撃や振動によって発生する騒音を抑制することができる。【選択図】  図１
2005105541.tif 000002
【特許請求の範囲】
【請求項１】
開口部を開閉するように動作する開閉手段と、
前記開閉手段の動作に連動する第１の部材と、
前記第１の部材に対して相対的な位置関係が変化するように設けられた第２の部材と、
前記第１の部材及び前記第２の部材のいずれか一方に磁石手段を設け、他方に前記磁石手段の磁束によって誘導電流を流す導電体手段を設け、前記開閉手段の動作時に制動をかける制動手段と
を備えたことを特徴とする開閉体装置。
【請求項２】
請求項１において、前記第１の部材は前記開閉手段の閉鎖側先端部であり、前記第２の部材は前記開閉手段の開閉動作を案内するガイド手段であり、前記磁石手段として前記開閉手段の閉鎖側先端部の前記ガイド手段によって覆われる箇所に第１の磁石手段を設け、前記導電体手段として前記ガイド手段に第１の導電体手段を設けたことを特徴とする開閉体装置。
【請求項３】
請求項１又は２において、前記第１の部材は前記開閉手段の巻取りドラム手段であり、前記第２の部材は前記巻取りドラム手段の支持軸手段であり、前記磁石手段として前記支持軸手段に第２の磁石手段を設け、前記導電体手段として前記巻取りドラム手段に第２の導電体手段を設けたことを特徴とする開閉体装置。
【請求項４】
請求項２において、前記開閉手段の全開時に前記開閉手段が前記開口部の端部付近に接触しないように前記第１の磁石手段に対して反発力を与えるような箇所に第３の磁石手段を設けたことを特徴とする開閉体装置。
【請求項５】
開口部を開閉するように動作する開閉手段を備えた開閉体装置において、前記開閉手段と他の部材との両方に設けられた磁石の反発力を用いて前記開閉手段の開閉動作時に両者が接触しないようにしたことを特徴とする開閉体装置。
【請求項６】
請求項５において、前記開閉手段の閉鎖側先端部に第４の磁石手段を設け、前記開閉手段の全開時に前記開閉手段が前記開口部の端部付近に接触しないように前記第４の磁石手段に対して反発力を与えるような箇所に第５の磁石手段を設けたことを特徴とする開閉体装置。
【発明の詳細な説明】
【技術分野】
【０００１】
本発明は、ビル、工場、倉庫などの建物を含む構築・構造物の開口部に設置されるシャッターカーテンなどの開閉部材を移動することによってその開口部を閉鎖する開閉体装置に関する。
【背景技術】
【０００２】
従来、住宅、ビル、工場、倉庫、車庫などの建物を含む構築・構造物の開口部に設置されるシャッターカーテンなどの開閉体は、閉鎖方向へ移動することによってその開口部を閉鎖するものである。このような開閉体は、その開閉動作を手動で行なうものもあれば、電動で行なうものもある。開閉動作を電動で行うものは、開閉体の移動時の速度や全閉時及び全開時の直前の速度などを適宜制御することによって、全閉時や全開時に発生する衝撃音や振動音などの発生を抑制することができる。ところが、開閉動作を手動で行うものは、開閉体などを手動で勢い良く上げることによって、その上限で水切りが戸当たりやまぐさなどに衝突し、その衝撃と振動で「ガシャン」や「バタン」などといった大きな衝撃音や振動音などの騒音を発生する。そこで、従来は、特許文献１に記載されているように、巻取ドラム内にシャッターカーテンの上昇速度に応じて緩衝弾機の蓄勢力を利用して衝撃や振動を吸収するようにした衝撃吸収装置を設けたものが提案されている。
【特許文献１】実開平５−３５９５号公報
【発明の開示】
【発明が解決しようとする課題】
【０００３】
従来のものは、一端が巻取りドラム内の支持軸に取り付けられた巻取ホイールに固定され、他端が慣性ウエイトに固定されたコイルバネからなる第１緩衝弾機と、一端が支持軸に固定され、他端が慣性ウエイトに固定されたコイルバネからなる第２緩衝弾機との付勢力を用いているので、長期間の使用による経年変化によって第１及び第２緩衝弾機の付勢力が劣化し、慣性ウエイトによる蓄勢力が弱まり、衝撃や振動を吸収することができなくなり、その結果として衝撃音や振動音を抑制することができなくなるおそれがある。
【０００４】
この発明は、上述の点に鑑みなされたものであり、長期間の使用によっても経年変化による劣化の影響を少なくし、振動や衝撃などによる騒音の発生を抑制することのできる開閉体装置を提供することを目的とする。
【課題を解決するための手段】
【０００５】
請求項１に記載された本発明の開閉体装置は、開口部を開閉するように動作する開閉手段と、前記開閉手段の動作に連動する第１の部材と、前記第１の部材に対して相対的な位置関係が変化するように設けられた第２の部材と、前記第１の部材及び前記第２の部材のいずれか一方に磁石手段を設け、他方に前記磁石手段の磁束によって誘導電流を流す導電体手段を設け、前記開閉手段の動作時に制動をかける制動手段とを備えたものである。
【０００６】
開閉手段は、ビル、住宅、工場、倉庫等の建物などの構築・構造物における、出入口や窓部、あるいは内部の通路や空間などの開口部などを開閉移動するシャッターカーテンや自動ドアなどの開閉部材で構成される。開閉手段がシャッターカーテンの場合には、例えば、建物などの開口部の上部に巻取りドラムなどを介して収納されているので、このシャッターカーテンをまぐさなどを介して手動で下降させることによって開口部を閉鎖することができる。逆に、閉鎖しているシャッターカーテンを手動で上昇させることによって、開口部を開放することができる。これ以外にも開閉手段が開口部の側部に収納され横引き方式で開閉移動したり、開口部の下部に収納され上昇方式で開閉移動したりするものもある。このような開閉体装置において、開閉手段が開閉動作することによって連動して動く第１の部材としては、例えば、シャッターカーテンや巻取りドラムなどがある。この第１の部材に対して相対的な位置関係が変化する第２の部材としては、例えば、ガイドレールなどのガイド手段や巻取りドラムを支持する支持軸などがある。そこで、これらの第１及び第２の部材のいずれか一方、例えばシャッターカーテンの閉鎖側先端部であってガイド手段に覆われる箇所に磁石を設け、この磁石の移動時に誘導電流を流す導電体手段としてアルミ板などをガイド手段に沿って設けるようにした。磁石が移動しようとすると、それを阻止しようとするような誘導電流がアルミ板に流れ、それによってシャッターカーテンの動きに制動が掛かる。この制動力は、磁石の移動速度に応じたものであり、磁石が急激に移動しようとするとそれに応じた大きな制動力が発生する。従って、開動作時にシャッターカーテンなどの開閉手段が巻取りドラムによって急激に巻き取られまぐさなどの戸当たり部に衝突しようとする際に、磁石と導電体によって制動力が発生するので、その衝撃や振動によって発生する騒音を抑制することができる。ここで、相対的な位置関係が変化する場合とは、一方が動いて他方が動かない場合でもよいし、両方が同時に動く場合でもよい。なお、両方が同時に動く場合の例としては、磁石を備えた水切り部がまぐさに近づいたときに、ガイドレール近傍にある回転する巻取りホイールに付された反対の極性を示す磁石が接近するように構成された場合などが対応する。さらに、開閉体が開方向に動作していてほぼ全開状態になったときや閉方向に移動していて全閉に近い範囲になったとき、すなわち開閉体が所定状態になったときに、互いに接近するように相対的な位置関係が変化するようになっており、このような場合に開閉体の移動に抑制をかけるようにすることが有効な場合がある。
【０００７】
請求項２に記載された本発明の開閉体装置は、請求項１において、前記第１の部材が前記開閉手段の閉鎖側先端部であり、前記第２の部材が前記開閉手段の開閉動作を案内するガイド手段であり、前記磁石手段として前記開閉手段の閉鎖側先端部の前記ガイド手段によって覆われる箇所に第１の磁石手段を設け、前記導電体手段として前記ガイド手段に第１の導電体手段を設けたものである。これは、開閉体装置がガイド手段にそって移動するシャッターカーテンなどの開閉手段を用いたものであり、第１の部材であるシャッターカーテンなどの開閉手段の閉鎖側先端部に磁石手段を設け、第２の部材であるガイド手段に導電体手段を設けるようにしたものである。
【０００８】
請求項３に記載された本発明の開閉体装置は、請求項１又は２において、前記第１の部材は前記開閉手段の巻取りドラム手段であり、前記第２の部材は前記巻取りドラム手段の支持軸手段であり、前記磁石手段として前記支持軸手段に第２の磁石手段を設け、前記導電体手段として前記巻取りドラム手段に第２の導電体手段を設けたものである。これは、開閉体装置が巻取りドラム手段にシャッターカーテンなどの開閉手段を巻き取って移動させるものであり、第１の部材である支持軸手段に磁石手段を設け、第２の部材である巻取りドラム手段に導電体手段を設けるようにしたものである。
【０００９】
請求項４に記載された本発明の開閉体装置は、請求項２において、前記開閉手段の全開時に前記開閉手段が前記開口部の端部付近に接触しないように前記第１の磁石手段に対して反発力を与えるような箇所に第３の磁石手段を設けたものである。これは、制動力を発生するために開閉手段の閉鎖側先端部に設けられた磁石を利用して、開口部の端部付近である戸当たり付近に別途磁石を設け、両方の磁石の反発力を利用して、開閉手段が戸当たりなどに接触しないようにしたものである。これによって、開閉手段が全開時に戸当たりなどと接触しにくくなるので、衝撃音や振動音なども発生しにくくなる。
【００１０】
請求項５に記載された本発明の開閉体装置は、開口部を開閉するように動作する開閉手段を備えた開閉体装置において、前記開閉手段と他の部材との両方に設けられた磁石の反発力を用いて前記開閉手段の開閉動作時に両者が接触しないようにしたものである。これは、磁石の反発力を利用して、開閉手段が全開時などに戸当たりなどの他の部材と接触しにくくしたものであり、これによって衝撃音や振動音などの発生を抑制している。
【００１１】
請求項６に記載された本発明の開閉体装置は、請求項５において、前記開閉手段の閉鎖側先端部に第４の磁石手段を設け、前記開閉手段の全開時に前記開閉手段が前記開口部の端部付近に接触しないように前記第４の磁石手段に対して反発力を与えるような箇所に第５の磁石手段を設けたものである。これは、開閉体装置がシャッターカーテンなどの開閉手段を用いたものであり、このシャッターカーテンなどの開閉手段の閉鎖側先端部に磁石を設け、この磁石との間で反発力を与えるような磁石を開口部端部付近の戸当たり付近に設けたものである。これによって、開閉手段が全開時に戸当たりなどと接触しにくくなるので、衝撃音や振動音なども発生しにくくなる。
【発明の効果】
【００１２】
以上のように本発明によれば、長期間の使用によっても経年変化による劣化の影響を少なくし、振動や衝撃などによる騒音の発生を抑制することができるという効果がある。
【発明を実施するための最良の形態】
【００１３】
以下、本発明に係る開閉体装置の好適な実施の形態を図面を参照して詳細に説明する。なお、この実施の形態においては、開閉体装置としてシャッター装置を例に説明する。シャッター装置は、短冊板状のスラットを多数連結してなるシャッターカーテンを、開口部左右に設けられたガイドレールに案内されて上下昇降動するものであり、建物開口部の上方に設けられた巻取ドラムに巻回状態で収容され、巻き戻されることで建物開口部を閉鎖するものである。図１は、本発明に係るシャッター装置の概略構成を示す図である。
【００１４】
このシャッター装置は、建築・構造物の開口部に設けられるものであり、基本的にシャッターケース１、シャッターカーテン２、ガイドレール３，４、巻取りドラム５から構成される。ガイドレール３，４は、シャッターカーテン２の両端部に接するように建物の開口部の両端側に設けられ、まぐさ部から床面まで掛け渡された断面形状がコの字型の案内溝を有する金属製部材で構成されている。シャッターカーテン２は、このガイドレール３，４の各案内溝に沿って上昇下降し、開口部の開閉動作を行う。巻取りドラム５は、シャッターケース１の両端ブラケット（図示せず）に固着された支持軸５１に自由回動自在に軸支されるものであり、巻取りドラム５を構成する巻取りホイール５２と、この巻取りホイール５２と両端ブラケットとの間の支持軸５１には、シャッターカーテン２を巻取るために巻取りホイール５２に付勢力を与える巻取り弾機５３，５４とがそれぞれの支持軸５１に外嵌する状態で介装されており、従来のものと同様の構成になっている。
【００１５】
この実施の形態に係るシャッター装置が従来のものと異なる点は、図２及び図３に示すように、磁石を用いてシャッカーカーテン２の移動時に制動を掛け、シャッターカーテン２の急激な動きを抑制するようにしたものである。図２は、シャッターカーテン２に取り付けられた磁石の一例を示す図である。図３は、図２の磁石とガイドレールとの関係を示す図である。図３（Ａ）は、アルミ製のガイドレールを用いた場合を示し、図３（Ｂ）は、鋼製のガイドレールの内側にアルミ板を設けた場合を示す図である。図から明かなように、磁石２１〜２４は、シャッターカーテン２を構成する短冊板状のスラットの両端部の開口部平面に対して前後両側に設けられている。図１では、磁石２１，２２はシャッターカーテン２の右側下端部に、磁石２３，３４はシャッターカーテン２の左側下端部にそれぞれ設けられている。磁石２１〜２４は、強力な磁力線を出すネオジウム磁石鋼を用いる。一方、ガイドレール３，４は、磁石２１〜２４の磁束によって誘導電流を流す導電性物質からなるアルミ製のレールで構成されている。
【００１６】
この実施の形態では、シャッカーカーテン２の開閉動作に応じて磁石２１〜２４がガイドレール３，４に沿って移動するので、アルミ製のガイドレール３，４に誘導電流が発生し、それによって磁石２１〜２４、すなわちシャッターカーテン３，４の開閉動作時に制動が掛かるようになっている。すなわち、図２及び図３において、磁石２１のＮ極と磁石２２のＳ極が向かい合うようにスラットに取り付けれている場合、ガイドレール４の内壁に対向する磁石２１の表面はＳ極となり、磁石２２の表面はＮ極となる。この状態で、磁石２１，２２が上方向に移動しようとすると、磁石２１のＳ極及び磁石２２のＮ極に対向するガイドレール４付近及び下側付近には、その磁束の減少を阻止するような誘導電流（うず電流）が発生し、それによって磁石２１，２２を引っ張ろうとする吸引力が発生する。また、上方向への移動によって磁石２１のＳ極及び磁石２２のＮ極に対向するガイドレール４の上側付近には、逆にその磁束の増加を阻止するような反対向きの誘導電流（うず電流）が発生し、それによって磁石２１，２２を押し戻そうとする反発力が発生する。このような構成によって、磁石２１，２２すなわちシャッターカーテン２の上下方向への急激な移動に制動が掛かることになる。また、この制動の大きさは、磁石２１，２２の移動速度すなわちシャッターカーテン２の開閉動作速度に依存するものである。従って、このような構成のシャッター装置の場合、シャッターカーテン２が急激に移動するのを抑制することによって、振動や衝撃などにの発生が抑制され、騒音自体も抑制されることになる。
【００１７】
なお、図３（Ａ）では、ガイドレール３，４にアルミ製のものを用いる場合を示したが、図３（Ｂ）のように、鋼製のガイドレール４ａを用いる場合には、この鋼製のガイドレール４ａの内側内壁面に沿ってアルミ板４ｂを設けるようにすればよい。これによって、同様の効果を得ることができる。
【００１８】
図４は、磁石の反発力を利用して振動や衝撃などの発生を抑制するようにした実施の形態の一例を示す図である。図４は、図１のシャッターカーテン２及びその戸当たり部の詳細を示す図であり、図４（Ａ）は、磁石の反発力の影響を受けない状態を示す図であり、図４（Ｂ）は、磁石の反発力の影響を受けた状態を示す図である。図１では、磁石４１，４２はシャッターカーテン２の右側下端部の水切り部に、磁石４３，４４はシャッターカーテン２の左側下端部の水切り部にそれぞれ設けられている。磁石４１〜４４に対向するように、反対の極性を示す磁石４５〜４８が天井の戸当たり部６１，６２に設けられている。
【００１９】
これらの磁石４１〜４８は、前述の磁石２１〜２４のように強力な磁力を出すようなものでなくても、普通の強さの磁石でよい。それは、磁石の反発力を利用しているので、ネオジウム磁石鋼のように強くなくても十分にその効果を発揮することができるからである。すなわち、図４（Ａ）のように、磁石４１，４２と磁石４５，４６が十分に離れている場合には、その反発力は働かないが、図４（Ｂ）のように、磁石４１，４２と磁石４５，４６が十分に接近することによって、その反発力は十分に大きくなり、磁石４１，４２と磁石４５，４６は接触することなく、反発し合い、図のような位置でシャッターカーテン２の水切り部は浮遊することになる。従って、水切り部と戸当たり部６１，６２とが互いに接触しにくくなるので、衝撃音や振動音なども発生しにくくなる。また、磁石４１〜４８には永久磁石を用いているので、経年変化による劣化も少なく、その効果を永続させることができる。
【００２０】
なお、上述の実施の形態では、戸当たり部と水切り部に別途磁石４１〜４８を設ける場合について説明したが、こられの磁石４１〜４８を設ける代わりに、磁石２１〜２４に対向するように、反対の極性を示す磁石をガイドレール３，４の上端部に設けるようにしてもよい。これによって、磁石２１〜２４は、アルミ製のガイドレール３，４との間では、誘導電流による制動を発生し、シャッターカーテン２の巻取り時には、ガイドレール３，４の上端部に設けられた磁石によって反発力を受け、水切り部と戸当たり部との衝突を回避する働きをすることになる。
【００２１】
図５は、この実施の形態の別の実施例を示す図である。図５（Ａ）は巻取りドラム５の全体構成を示す図であり、図５（Ｂ）は図５（Ａ）の一部を拡大して示す図であり、図５（Ｃ）は図５（Ｂ）の右側側面図である。上述の実施の形態では、シャッターカーテンの両端部に設けた磁石によってガイドレールに設けられた導電体に発生する誘導電流を利用して制動を掛け、シャッターカーテンの急激な移動などを抑制する場合について説明したが、この変形例では、巻取りドラム５内に誘導電流を流す導電性物質からなるアルミ製の円板を設け、このアルミ製円板に隣接してネオジウム磁石鋼のような強力な磁力を発生する磁石を設けるようにした。この実施例は、図５に示すように、両端ブラケット（図示せず）の間の支持軸５１に設けられた巻取りホイール５２と隣接する位置に、アルミ製円板５５を設け、このアルミ製円板５５に対して誘導電流を発生させるネオジウム磁石鋼からなる磁石５６をステー５７を介してネジやリベット等の固定具によって支持軸５１に一体として設けるようにしたものである。
【００２２】
アルミ製円板５５は、巻取りホイール５２の回転に応じて同じように回転するように取り付けられている。一方、磁石５６は、ステー５７を介して支持軸５１に固定的に設けられている。従って、シャッターカーテン２の上昇又は下降によって巻取りホイール５２及びアルミ製円板５５が回転することによって、磁石５６とアルミ製円板５５とは相対的な位置関係が時々刻々と変化し、前述の磁石とガイドラインに設けられたアルミ板との関係と同様に、アルミ製円板５５には誘導電流が誘起されるようになって、アルミ製円板５５の回転に制動を掛けるような働きをするようになり、結果として、シャッターカーテン２の急激な移動を抑制するようになる。
【００２３】
図６は、図５のアルミ製円板に対する磁石の配置の変形例を示す図である。図６（Ａ）は、２個の磁石５６ａ，５８ａをステー５７ａ，５９ａを介して支持軸５１の上下に取り付けたものである。２個の磁石５６ａ，５８ａを用いることによって１個の場合よりもより高い制動力を発生させることができる。
【００２４】
図６（Ｂ）は、アルミ製円板５５を両側から挟み込むように２個の磁石５６ｂ，５８ｂをステー５７ｂ，５９ｂを介して支持軸５１の上側に取り付けたものである。このときに、磁石５６ｂ，５８ｂの対向する面の磁極はＮ−Ｓ，Ｎ−Ｎ，Ｓ−Ｓのいずれでもよい。なお、磁石５６ｂ，５８ｂの磁力が強力なので、ステー５７ｂ，５９ｂは両磁石５６ｂ，５８ｂの反発力又は吸引力によって容易に変形しないような強度にする必要があると共に支持軸５１へのステー５７ｂ，５９ｂの取り付けも両磁石５６ｂ，５８ｂの反発力又は吸引力によって変形しないように行う必要がある。
【００２５】
図６（Ｃ）は、アルミ製円板５５を両側から挟み込むように２個の磁石５６ｃ，５８ｃをコの字状に成形加工されたステー５７ｃを介して支持軸５１の上側に取り付けたものである。コの字状に成形加工されたステー５７ｃの両端に２個の磁石５６ｃ，５８ｃを固定しているので、ステー５７ｃの材質の持つ曲げ強度によって両磁石５６ｃ，５８ｃの反発力又は吸引力に十分に耐え得ることができる。
【００２６】
図６（Ｄ）は、アルミ製円板５５を両側から挟み込むようにした２個の磁石５６ｄ，５８ｄと磁石５９ｄ，６０ｄを支持軸５１の上下にステー５７ｄ，６１ｄを介して取り付けたものである。４個の磁石５６ｄ，５８ｄ，５９ｄ，６０ｄを用いることによってより高い制動力を発生させることができる。なお、図６（Ａ），（Ｄ）では、支持軸５１の上下に磁石を設ける場合について説明したが、支持軸５１の軸方向から見て上下左右の４箇所に磁石を設けるようにしてもよい。また、アルミ製円板５５は一枚の場合について説明したが、このようなアルミ製円板と磁石の組合せを支持軸５１の軸方向に沿って複数枚設けるようにしてもよい。
【００２７】
図１の実施の形態と図５の実施の形態を組み合わせることによって、高い制動力を発生させるたとができる。また、誘導電流を用いたものと、磁石の反発力を用いたものを個別に適用してもよいし、両方を組み合わせてよい。両方を組み合わせる場合に、図１の実施の形態のように、開閉手段に設けられた磁石を兼用することによって、磁石の設置などを容易にすることができる。また、導電性物質としてアルミを用いた場合を説明したが、これ以外の銅などの金属を用いてもよい。上述の実施の形態では、ガイドレール全体を導電性物質で構成する場合について説明したが、ガイドレールの一部分だけ、例えば、戸当たり付近及び／又は閉鎖側先端部付近に、導電性物質を設けるようにしてもよい。上述の実施の形態では、磁石としてネオジウム鋼のような永久磁石を例に説明したが、これ以外に強力な磁力を示す磁石であればそれを用いてもよいし、電磁石を用いてもよい。なお、電磁石を用いた場合には、相対的な位置関係が所定範囲内になったことを把握した以降に磁化させるようにしてもよい。把握の仕方は、例えば巻取り部の回転量を測定したり、所定位置にスイッチやセンサを設けて開閉体の位置を検出するなどすればよい。
【００２８】
上述の実施の形態では、シャッターカーテンが上方から下降方式で繰り出される場合について説明したが、逆に上昇方式で繰り出されたりするものであっても同様に適用することができる。さらに、シャッター状の開閉部材が横引き方式で繰り出されたり、あるいは水平方式で繰り出されたりするものであっても同様に適用することができる。開閉装置としては、例えば、シャッター装置、ブラインド装置、ロールスクリーン装置、垂れ幕装置、引戸装置、移動間仕切装置、オーニング装置、防水板装置などがある。
【図面の簡単な説明】
【００２９】
【図１】本発明に係るシャッター装置の概略構成を示す図である。
【図２】シャッターカーテン２に取り付けられた磁石の一例を示す図である。
【図３】図２の磁石とガイドレールとの関係を示す図である。
【図４】磁石の反発力を利用して振動や衝撃などの発生を抑制するようにした実施の形態の一例を示す図である。
【図５】この実施の形態の別の実施例を示す図である。
【図６】図５のアルミ製円板に対する磁石の配置の変形例を示す図である。
【符号の説明】
【００３０】
１…シャッターケース
２…シャッターカーテン
２１〜２４，４１〜４８，５６…磁石
２５…水切り部
３，４…ガイドレール
４ａ…鋼製のガイドレール
４ｂ…アルミ板
５…巻取ドラム
５１…支持軸
５２…巻取りホイール
５３，５４…巻取り弾機
５５…アルミ製円板
５６，５６ａ，５８ａ，５６ｂ，５８ｂ，５６ｃ，５８ｃ，５６ｄ，５８ｄ，５９ｄ，６０ｄ…磁石
５７，５７ａ，５９ａ，５７ｂ，５９ｂ，５７ｃ，５７ｄ，６１ｄ…ステー
６１，６２…戸当たり
【図１】
2005105541.tif 000003
【図２】
2005105541.tif 000004
【図３】
2005105541.tif 000005
【図４】
2005105541.tif 000006
【図５】
2005105541.tif 000007
【図６】
2005105541.tif 000008